(57)【要約】【課題】  記録ディスクメディアの汚損を極力防止し、高い剛性を有するとともに、組立性、生産性に優れ、簡素化された構造の記録ディスクカートリッジを提供する。【解決手段】  ベースフレーム１０と、カートリッジケースＣの下壁を構成し、チャック用センタ孔Ｃ３が形成された下プレート２０と、上プレート３０と、側部開口を開閉するロータリシャッタ４０と、支軸２１に外嵌される軸受５１を有し、ロータリシャッタ４０と係合してロータリシャッタ４０の回動動作に応じた揺動でチャック用センタ孔Ｃ３を開閉するスイングシャッタ５０と、を備え、ロータリシャッタ４０をロックあるいはロック解除するロックスプリング７０は、１枚の板をフォーミング加工してなり、軸受部７１と、ロック脚部７２と、ロック解除脚部７３と、バネ脚部７４とを備える。【選択図】      図３
2006286088.tif 000002
【特許請求の範囲】
【請求項１】
記録ディスクメディアと、前記記録ディスクメディアを収納するカートリッジケースとを備える記録ディスクカートリッジであって、
前記記録ディスクメディアの半径方向外側を略囲んで前記カートリッジケースの側壁を構成するとともに前記記録ディスクメディアを外部に臨ませる側部開口を有するベースフレームと、
前記記録ディスクメディアの下方に配置されて前記カートリッジケースの下壁を構成するとともにディスクドライブのスピンドルを前記記録ディスクメディアに結合させるためのチャック用センタ孔が形成された下プレートと、
前記記録ディスクメディアの上方に配置されて前記カートリッジケースの上壁を構成する上プレートと、
前記カートリッジケース内で回動することで前記側部開口を開閉するロータリシャッタと、
前記記録ディスクメディアと前記下プレートとの間に配置されるとともに、前記ロータリシャッタと係合することで前記ロータリシャッタの回動動作に応じて揺動して前記チャック用センタ孔を開閉するスイングシャッタと、
前記下プレート、前記ベースフレームおよび前記上プレートの少なくとも一つに設けられた支軸により揺動可能に支持されることで前記ロータリシャッタに対して係脱可能に設けられ、前記ロータリシャッタの回動をロックあるいはロック解除するロックスプリングと、を備え、
前記ロックスプリングは、
１枚の板をフォーミング加工してなり、
前記支軸の外周を異なる側から挟持する状態に外嵌する第１，第２の片からなる軸受部と、
前記第１の片の一側に連設され、前記ロータリシャッタに係合するロック脚部と、
前記第１の片の他側から前記第２の片の他側へ折り返される状態に連設され、前記ディスクドライブの駆動ギヤに当接して前記ロック脚部が前記ロータリシャッタから外れる方向へ逃がすロック解除脚部と、
前記第２の片の一側に連設され、前記ロック脚部を前記ロータリシャッタに係合する方向の付勢力を発生するバネ脚部とを有することを特徴とする記録ディスクカートリッジ。
【請求項２】
前記ロック脚部に沿って補強部が設けられていることを特徴とする請求項１に記載の記録ディスクカートリッジ。
【請求項３】
前記補強部は、前記ロック脚部が係脱する方向に向けて折り曲げて形成された面を少なくとも有することを特徴とする請求項２に記載の記録ディスクカートリッジ。
【請求項４】
前記ロック脚部の前記補強部の設けられた部位は断面略Ｌ字形であることを特徴とする請求項２または請求項３に記載の記録ディスクカートリッジ。
【請求項５】
前記軸受部は、前記支軸側に対向している部位が滑らかな面形状であることを特徴とする請求項１から請求項４のいずれか１項に記載の記録ディスクカートリッジ。
【発明の詳細な説明】
【技術分野】
【０００１】
本発明は、記録ディスクメディアをカートリッジケースに収容した記録ディスクカートリッジに関する。
【背景技術】
【０００２】
従来、ポリエステルシートなどからなる円盤状の支持体の両面に磁性層を形成したフレキシブルな磁気ディスクメディアや、光磁気ディスクメディア、相変化ディスクメディアなどの記録ディスクメディアをカートリッジケースに収納した記録ディスクカートリッジが知られている。これらの記録ディスクメディアは、年々、高密度記録化されており、その記録トラック幅はより狭くなって来ていると共にその記録長はより短くなってきている。このため、磁気ディスクカートリッジは、磁気ディスクメディアと磁気ヘッドとの間にわずかな塵埃が介在するだけで読取エラーが生じやすくなっている。また、光ディスクメディアは、塵埃に比較的強いといわれているものの、高記録密度になると、光ピックアップのレンズの開口率が大きくなる結果、メディアとレンズとを近づける必要が生じ、やはり塵埃による読取エラーが生じやすくなる。
【０００３】
記録ディスクカートリッジに塵埃が侵入する部分としては、磁気ヘッドや光ピックアップを記録ディスクメディアにアクセスさせるためにカートリッジケースに設けられたアクセス用開口部や、ディスクドライブのスピンドルを記録ディスクメディアに結合させるためにカートリッジケースの中央に設けられたチャック用センタ孔などがある。そして、従来の記録ディスクカートリッジは、カートリッジケース内への塵埃の侵入を防止するために、アクセス用開口部やチャック用センタ孔を非使用時に閉じるように構成されている（例えば、特許文献１、２および３参照）。
【特許文献１】特開２００４−０１３９２１号公報
【特許文献２】特開２００２−０６３７７８号公報
【特許文献３】特開２００４−３４８８８５号公報
【発明の開示】
【発明が解決しようとする課題】
【０００４】
しかしながら、従来の記録ディスクカートリッジは、アクセス用開口部やチャック用センタ孔を閉じるシャッタが、カートリッジケースの外側で作動していたために、その携帯時や保管時に他の物に引っ掛かって開くおそれがあった。また、従来の記録ディスクカートリッジは、シャッタが外部から容易に接触可能となっているために、シャッタを不用意に開けてしまうおそれもあった。そして、従来の記録ディスクカートリッジは、アクセス用開口部がカートリッジケースの記録ディスクメディアに平行な上面もしくは下面またはその両方に設けられているために、シャッタが開いてしまった場合には、記録ディスクメディアが大きく露出して容易に汚損される状態となる。さらに、従来の記録ディスクカートリッジは、カートリッジケースの上面もしくは下面またはその両方にアクセス用開口部が形成されているのでカートリッジケースの剛性が低下してカートリッジケースを薄型化しにくいという問題もあった。
また、記録ディスクカートリッジは、大量に生産する商品であるとともに、カートリッジケース内の狭いスペースに複数の部品を配置する必要性から、組立性、生産性に優れ、構造が簡単であることが望ましい。しかしながら、たくさんの機能をひとつの部品に持たせることは難しい。
【０００５】
このような背景に鑑みて本発明がなされたのであり、本発明は、カートリッジケース内への塵埃の侵入と記録ディスクメディアの汚損を極力防止し、高い剛性を有するとともに、組立性、生産性に優れ、簡素化された構造の記録ディスクカートリッジを提供することを課題とする。
【課題を解決するための手段】
【０００６】
前記した課題を解決するため、本発明は、記録ディスクメディアと、前記記録ディスクメディアを収納するカートリッジケースとを備える記録ディスクカートリッジであって、前記記録ディスクメディアの半径方向外側を略囲んで前記カートリッジケースの側壁を構成するとともに前記記録ディスクメディアを外部に臨ませる側部開口を有するベースフレームと、前記記録ディスクメディアの下方に配置されて前記カートリッジケースの下壁を構成するとともにディスクドライブのスピンドルを前記記録ディスクメディアに結合させるためのチャック用センタ孔が形成された下プレートと、前記記録ディスクメディアの上方に配置されて前記カートリッジケースの上壁を構成する上プレートと、前記カートリッジケース内で回動することで前記側部開口を開閉するロータリシャッタと、前記記録ディスクメディアと前記下プレートとの間に配置されるとともに、前記ロータリシャッタと係合することで前記ロータリシャッタの回動動作に応じて揺動して前記チャック用センタ孔を開閉するスイングシャッタと、前記下プレート、前記ベースフレームおよび前記上プレートの少なくとも一つに設けられた支軸により揺動可能に支持されることで前記ロータリシャッタに対して係脱可能に設けられ、前記ロータリシャッタの回動をロックあるいはロック解除するロックスプリングと、を備え、前記ロックスプリングは、１枚の板をフォーミング加工してなり、前記支軸の外周を異なる側から挟持する状態に外嵌する第１，第２の片からなる軸受部と、前記第１の片の一側に連設され、前記ロータリシャッタに係合するロック脚部と、前記第１の片の他側から前記第２の片の他側へ折り返される状態に連設され、前記ディスクドライブの駆動ギヤに当接して前記ロック脚部が前記ロータリシャッタから外れる方向へ逃がすロック解除脚部と、前記第２の片の一側に連設され、前記ロック脚部を前記ロータリシャッタに係合する方向の付勢力を発生するバネ脚部とを有する構成とした。
【０００７】
このような記録ディスクカートリッジによれば、記録ディスクメディアを外部に臨ませる側部開口、つまり磁気ヘッドや光ピックアップが記録ディスクメディアにアクセスするためのアクセス用開口部が、カートリッジケースの側壁を形成するベースフレームに設けられ、上プレートおよび下プレートは、それぞれカートリッジケースの上壁および下壁を構成してベースフレームの上側および下側を塞いでいる。そのため、アクセス用開口部がカートリッジケースの上面または下面に形成されることによるカートリッジケースの剛性の低下が防止される。また、アクセス用開口部が側壁にしか形成されていないため、ユーザがアクセス用開口部を開閉するロータリシャッタを開いてしまった場合でも、アクセス用開口部からは記録ディスクメディアの外周のエッジが臨めるだけで、記録ディスクメディアの記録面に直接触れるのが困難である。そのため、記録ディスクメディアの記録面の汚損を防止することができる。そして、アクセス用開口部の大きさも最小限で済むので、カートリッジケース内に塵埃が侵入しにくい。
また、チャック用センタ孔を開閉するスイングシャッタが下プレートとフレキシブルディスクの間、つまり下プレートより内側に位置することで、携帯時や保管時に、スイングシャッタに他の物が引っ掛かることがない。
なお、本発明における上プレート、下プレートは、通常、ディスクドライブが記録ディスクメディアのチャック部に対し下方からアクセスする場合が多いため、便宜上、チャック用センタ孔のある側を下方としているが、本発明の記録ディスクカートリッジの下プレートを水平方向に向けて使用したり、上方に向けて使用したりできることはいうまでもない。
【０００８】
また、ロックスプリングは１枚の板をフォーミング加工してなり、支軸の外周を異なる側から挟持する状態に外嵌する第１，第２の片からなる軸受部で回動可能に支持される。そして、バネ脚部の付勢力によって、ロック脚部は、ロータリシャッタに係合した状態に保持される。これにより、ロータリシャッタの回動がロックされ、非使用時に記録ディスクメディアが固定されて、記録ディスクメディアを傷めることが防止される。また、アクセス用開口部が塞がれた状態が維持されることとなり、カートリッジケース内に塵埃が侵入しにくくなる。そして、カートリッジケースをディスクドライブに挿入すると、ディスクドライブの駆動ギヤがロック解除脚部に当接して、ロック脚部がロータリシャッタから外れる方向へ逃がされる。これにより、ロータリシャッタの回動が可能となりアクセス用開口部が開かれて磁気ヘッドや光ピックアップが記録ディスクメディアにアクセス可能となる。
【０００９】
このように１枚の板をフォーミング加工することにより、ロータリシャッタをロックあるいはロック解除するロックスプリングを簡単に形成することができ、組立性、生産性に優れ、簡素化された構造の記録ディスクカートリッジが得られる。
【００１０】
また、前記ロック脚部に沿って補強部が設けられていることが望ましい。
このように、ロック脚部に沿った補強部が設けられることによりロック脚部に機械的強度が付与されるようになり、ロータリシャッタに対するロック脚部の係脱動作時にロック脚部の撓みが防止されて、ロック脚部の係脱動作を確実に行うことができる。
【００１１】
さらに、前記補強部は、前記ロック脚部が係脱する方向に向けて折り曲げられて形成された面を少なくとも有する構成とするのがよい。
このような構成とすることにより、ロータリシャッタに対するロック脚部の係脱動作時にロック脚部の撓みが防止され、ロック脚部の係脱動作を確実に行うことができる。
【００１２】
また、前記ロック脚部の前記補強部の設けられた部位は断面略Ｌ字形である構成とすることができる。
このように、ロック脚部を断面Ｌ字形に形成することにより、係脱する方向に沿った面を有する補強部を簡単に形成することができ、ロック脚部の係脱動作を確実に行うことができる。
【００１３】
さらに、前記軸受部は、前記支軸側に対向している部位が滑らかな面形状であることが望ましい。
このような構成とすることにより、ロックスプリングのスムーズな回動を実現することができ、ロック脚部の係脱動作を確実に行うことができる。
【発明の効果】
【００１４】
本発明によれば、カートリッジケースの剛性を向上でき、また、カートリッジケース内への塵埃の侵入や記録ディスクメディアの汚損を防止することができる。また、チャック用センタ孔を開閉するスイングシャッタが外部の物に引っ掛かるのを防止することができる。さらに、組立性、生産性に優れ、簡素化された構造の記録ディスクカートリッジが得られる。
【発明を実施するための最良の形態】
【００１５】
次に、本発明の実施形態について、適宜図面を参照しながら詳細に説明する。本実施形態においては、記録ディスクメディアの一例として磁気ディスクメディアを採用した磁気ディスクカートリッジの場合について説明する。
図１は、一実施形態に係る磁気ディスクカートリッジとディスクドライブを示す外観斜視図であり、図２は、アクセス用開口部が開いた状態の磁気ディスクカートリッジを下方から見た外観斜視図である。なお、以下の説明において、上下は、磁気ディスクカートリッジの典型的な使用状態を基準とし、便宜上磁気ディスクメディアの面に垂直な方向を上下とし、センタコアを外部に露出させるチャック用センタ孔がある方を下方とする。また、磁気ディスクカートリッジ１の挿入方向を前方として、図１に示す前後左右の方向を用いて説明する。
【００１６】
図１に示すように、記録ディスクカートリッジの一例である磁気ディスクカートリッジ１は、カートリッジケースＣ内に磁気ディスクメディアＭＤが収納されて構成されている。カートリッジケースＣは、ベースフレーム１０と、このベースフレーム１０の下側に接合された下プレート２０と、ベースフレーム１０の上側に接合された上プレート３０とを含んで構成されている。
カートリッジケースＣは、その外形が平面視で略矩形のカード状である。この矩形の一つの角は、面取り状に切り欠かれて面取部Ｃ１を形成し、ディスクドライブＤへの挿入方向の目印とされている。この挿入方向は、平面視で面取部Ｃ１が右前方になるように設定されているが、これに限られるものではない。
【００１７】
挿入方向に対して直交した方向、図１においては、右方向の側部に、磁気ディスクメディアＭＤを外部に臨ませる側部開口としてアクセス用開口部Ｃ２が形成されている。ディスクドライブＤが有する、磁気ヘッドＨを先端に有したスイングアームＳＡは、このアクセス用開口部Ｃ２からカートリッジケースＣの内部に進入し、磁気ディスクメディアＭＤにアクセスする。
アクセス用開口部Ｃ２は、磁気ディスクカートリッジ１の非使用時、例えば保管時においてロータリシャッタ４０により閉じられており、使用時にロータリシャッタ４０を回動させることで開かれる。
【００１８】
図２に示すように、カートリッジケースＣの下側には、その中央に、ディスクドライブＤのスピンドルＳＰ（図１参照）を磁気ディスクメディアＭＤに結合させるためのチャック用センタ孔Ｃ３が形成されている。チャック用センタ孔Ｃ３は、磁気ディスクカートリッジ１の非使用時において、スイングシャッタ５０により閉じられており、使用時にスイングシャッタ５０を回動させることで開かれ、磁気ディスクメディアＭＤが有するセンタコア６１（チャック部６１ａ）を外部へ露出させる。
【００１９】
次に、図３から図１０を参照しながら、磁気ディスクカートリッジ１の詳細について説明する。図３は、磁気ディスクカートリッジ１の分解斜視図であり、図４は、ベースフレームの拡大分解斜視図を示し、（ａ）が上方から見た斜視図、（ｂ）が下方から見た斜視図である。また、図５は、図１のＶ−Ｖ断面図であり、図６は、ロックスプリングの斜視図であり、（ａ）が一部破断斜視図、（ｂ）はロータリシャッタから外れる方向にロック脚部が回動した状態の斜視図である。図７は、上プレートを外した状態の磁気ディスクカートリッジの平面図であり、図８は、上プレートを外した状態の磁気ディスクカートリッジにおいて、駆動ギヤとの噛合を示す一部破断平面図、図９は、図７のＷ−Ｗ断面図であり、（ａ）が分解断面図、（ｂ）が組付け状態を示す断面図である。図１０は、ロータリシャッタを下方から見た斜視図である。
図３に示すように、ベースフレーム１０は、磁気ディスクメディアＭＤを略囲む矩形の枠の一辺を切り欠いた形状に形成されたＣ字型の部材である。具体的には、右辺１０Ｒに前記したアクセス用開口部Ｃ２が形成されている。アクセス用開口部Ｃ２は、ベースフレーム１０の側部に開口していれば十分なので、必ずしもベースフレーム１０の一辺を切り欠いて形成する必要はなく、例えば、一辺の一部を薄くして形成したり、一辺の側部にスリットを設けることで形成したりしてもよい。
ベースフレーム１０の内周は、図４（ａ）に示すように、ロータリシャッタ４０（図３参照）の外周に合ったシリンダ状内壁１１を有し、このシリンダ状内壁１１が、ロータリシャッタ４０を回動可能に支持している。ベースフレーム１０の内周のうち、左前方の一部は、シリンダ状内壁１１よりも外側へ凹んでいる。この凹みの部分は、後記するロックスプリング７０を収容するスプリング収容部１７である。
【００２０】
ベースフレーム１０は、メインフレーム１０Ｘとサブフレーム１０Ｙとに分割されて構成されている。サブフレーム１０Ｙは、メインフレーム１０Ｘの左辺１０Ｌの上側を構成する短冊状の部材である。サブフレーム１０Ｙに対応するメインフレーム１０Ｘの左辺１０Ｌは、左側のエッジに沿った部分と中央部におけるエッジから内周にかけての部分が薄い薄片部１２ａとして形成されている。メインフレーム１０Ｘの左辺１０Ｌの両端には、薄片部１２ａより一段高くなった接合台座１２ｂが形成されている。接合台座１２ｂにサブフレーム１０Ｙを接合することにより、薄片部１２ａとサブフレーム１０Ｙの間にスリット状の隙間が形成され、この隙間がシャッタ作動用開口部Ｃ４となる（図３参照）。また、シャッタ作動用開口部Ｃ４の前後方向の両端は、外部から見るとシャッタ作動用開口部Ｃ４に連続する所定幅の溝１８となっている（図１１（ａ）参照）。
なお、接合台座１２ｂの高さは、接合台座１２ｂにサブフレーム１０Ｙを接合した後に、サブフレーム１０Ｙの上面１３ａがメインフレーム１０Ｘの上面１３ａと同一高さになるように設定されている。また、本実施形態においては、ベースフレーム１０をメインフレーム１０Ｘとサブフレーム１０Ｙの２つの部材を接合して構成しているが、一体に成形してもよいし、３つ以上の部材に分けて構成してもよい。
【００２１】
また、ベースフレーム１０の外周の縁には、略全周にわたって上下に向けてリブ１４が形成されている。リブ１４の上面１３ａおよび下面１３ｂからの高さは、下プレート２０および上プレート３０の各厚さと同一または高くなっている。このため、ベースフレーム１０に下プレート２０および上プレート３０を接合すると、図５に示すように、下プレート２０のエッジ２９および上プレート３０のエッジ３９がリブ１４により隠れ、磁気ディスクカートリッジ１を取り扱う際にエッジ２９，３９に引っ掛からなくなる。このため、下プレート２０および上プレート３０がベースフレーム１０から剥離しにくくなっている。
このような意味から、上面１３ａおよび下面１３ｂ（図４（ｂ）参照）からのリブ１４の高さは、それぞれ上プレート３０および下プレート２０の各厚さより高いのが望ましい。
【００２２】
図４（ａ）に示すように、ベースフレーム１０の面取部Ｃ１には、奥に行くほど幅が広がる蟻溝型の凹部１５が形成されている。この凹部１５には、機能部品が格納される。例えば、凹部１５には、凹部１５に対応した透明なプラスチック片（「識別部材６６」とする）を光学部品として配置することができる（図３参照）。このような識別部材６６を磁気ディスクカートリッジ１の種類により変えておくと、外部から光を当てて識別部材６６の反射光を検知して磁気ディスクカートリッジ１の識別が可能である。すなわち、面取部Ｃ１を識別部位として利用することができる。識別部材６６は、このような光学部品を用いる場合に限らず、ＲＦＩＤタグを用いてもよい。面取部Ｃ１にＲＦＩＤタグを配置した場合、磁気ディスクカートリッジ１の前側と右側の２方向からＲＦＩＤタグにアクセスして磁気ディスクカートリッジ１の識別をすることができる。
【００２３】
ベースフレーム１０の、凹部１５の後方には、上下に貫通する接合用貫通孔１６が形成されている。接合用貫通孔１６は、下プレート２０および上プレート３０と接合されるときに使用される。
【００２４】
ベースフレーム１０の材質は、複雑な形状の成形のしやすさから、樹脂を選択するのが望ましいが、金属やセラミックスなどを選択しても構わない。
【００２５】
図３に示すように、下プレート２０は、カートリッジケースＣの下壁を構成する略矩形の板部材であり、中央にセンタコア６１を外部へ露出させるチャック用センタ孔Ｃ３を有する。下プレート２０の平面視における大きさは、ロータリシャッタ４０より若干大きく、ロータリシャッタ４０の外周部は下プレート２０の縁部よりも内側に位置している。下プレート２０の右前の角は、面取部Ｃ１に倣って面取部Ｃ１′が形成されている。また、下プレート２０の上面２０ａには、左前の角の近傍に、スイングシャッタ５０を揺動支持するための支軸２１と、ロータリシャッタ４０が有する係合凸部４２ｃとの干渉を避けるための逃げ溝２２が形成されている。
支軸２１は、下プレート２０から上プレート３０に向けて突設されており、本実施形態では、バーリング加工により円筒状に形成されている。支軸２１の外側にはスイングシャッタ５０の軸受５１が外嵌され、内筒部２１ａには抜け止めピン６３が嵌入される。
逃げ溝２２は、チャック用センタ孔Ｃ３と同心の円弧上に位置している。これは、ロータリシャッタ４０の回動動作に従い、係合凸部４２ｃが、カートリッジケースＣの中心（磁気ディスクメディアＭＤの中心）と同心に回動するためである。逃げ溝２２の深さは、係合凸部４２ｃとの干渉を避けられる深さを有していればよい。なお、下プレート２０の上面２０ａ（カートリッジケースＣの内面にあたる）が十分に滑らかで、係合凸部４２ｃと下プレート２０との摺動による摩擦が小さく、摩耗粉も発生しない場合には、逃げ溝２２を設けなくてもよい。
【００２６】
下プレート２０の右前の角部近傍には、接合用貫通孔１６に対応して上方に立ち上げられた接合用爪部２３が形成されている。接合用爪部２３は、前記したベースフレーム１０の接合用貫通孔１６に圧入されることで、ベースフレーム１０と下プレート２０の接合力を発生する。ベースフレーム１０と下プレート２０の接合は、この接合用爪部２３によることなく、接着剤の使用、下プレート２０とリブ１４の圧入嵌合、カシメ用突起をベースフレーム１０に形成して下プレート２０の適宜な開口に嵌入した後、熱カシメするなどの方法があるが、その方法は特に限定されない。
【００２７】
上プレート３０は、カートリッジケースＣの上壁を構成する略矩形の板部材であり、右前の角に、面取部Ｃ１に倣って面取部Ｃ１′が形成されている。上プレート３０の平面視における大きさは、ロータリシャッタ４０より若干大きく、ロータリシャッタ４０の外周部は上プレート３０の縁部よりも内側に位置している。上プレート３０の下面３０ａの中央には、非使用時にセンタコア６１を固定する突起３１が形成されている。また、上プレート３０の右前の角部近傍には、接合用貫通孔１６に対応して下方に向けて突出した接合用爪部３３が形成されている。接合用爪部３３は、前記したベースフレーム１０の接合用貫通孔１６に圧入されることで、ベースフレーム１０と上プレート３０の接合力を発生する。ベースフレーム１０と上プレート３０の接合は、ベースフレーム１０と下プレート２０の接合と同様に、他の方法により行うこともできる。
【００２８】
上プレート３０の下面３０ａ、すなわちカートリッジケースＣの内面に当たる部分には、フレキシブルディスクＦＤのクリーニング用のライナ６５が貼り付けられている。ライナ６５の材質は、不織布や、超高分子量ポリエチレンを発泡させたシートなどを好適に用いることができる。ライナ６５は、円形のシート状部材であり、中央にセンタコア６１の大きさに合った円形の貫通孔６５ａを有する。また、スイングアームＳＡの動作範囲に合わせて、スイングアームＳＡとの干渉を防止する切欠６５ｂが形成されている。
【００２９】
また、図３、図９（ａ）（ｂ）に示すように、上プレート３０には、凸部３４が設けられている。この凸部３４は、上プレート３０から下プレート２０に向けて突設されており、本実施形態では、絞り加工により円柱形状の外周面を有するように形成され、凸部３４の外径が後記する抜け止めピン６３のヘッド部６３ｂの直径と略等しい外径に形成されている。これにより、図９（ｂ）に示すように、カートリッジケースＣが組み立てられた状態で、その底面３４ａが抜け止めピン６３のヘッド部６３ｂに当接するように形成することで、軸受５１を抜け止めピン６３のヘッド部６３ｂと連続した軸となるように構成することができる。
【００３０】
下プレート２０および上プレート３０の材質は特に問わないが、少なくとも一方、望ましくは双方を金属、例えばステンレス鋼により構成することで、薄くても必要な剛性を確保することができる。
また、ベースフレーム１０、下プレート２０および上プレート３０は、それぞれ別個の部材として構成するのではなく、ベースフレーム１０と下プレート２０を樹脂やアルミニウム合金、マグネシウム合金などにより一体成形しても良いし、ベースフレーム１０と上プレート３０をこれらの材料により一体成形しても良い。
さらに、ベースフレーム１０の形状が複雑である場合や、アンダカット形状がある場合には、ベースフレーム１０の一部、例えばメインフレーム１０Ｘと下プレート２０とを一体に形成し、ベースフレーム１０の他部、例えばサブフレーム１０Ｙと上プレート３０とを一体に形成してもよい。このようにベースフレーム１０を分割した構成とすることで、型抜きをスムーズにして製品の形状精度を高めることができる。
【００３１】
ロータリシャッタ４０は、Ｃ字型のシャッタ部材４１と、シャッタ部材４１の下側に接合された補強板４２とを備えてなる。
シャッタ部材４１は、例えば樹脂を射出成形してなる部材であり、図７に示すように、外周の約３分の１にわたって従動ギヤ４１ａが形成されている。従動ギヤ４１ａは、シャッタ作動用開口部Ｃ４から外部に露出し、磁気ディスクカートリッジ１をディスクドライブＤへ挿入するときにディスクドライブＤが有する駆動ギヤ１１０（図１参照）と噛合する。したがって、磁気ディスクカートリッジ１の挿入動作により、ロータリシャッタ４０が駆動ギヤ１１０により回転させられ、ロータリシャッタ４０を開くことが可能となっている。ここで、駆動ギヤ１１０は、上部側に従動ギヤ４１ａに噛合するギヤ１１０ａが設けられ、また、下部側に後記するロックスプリング７０のロック解除脚部７３に当接する当接部１１０ｂが設けられている。なお、駆動ギヤ１１０は、本実施形態においてディスクドライブＤに固定される状態に設けたが、これに限られることはなく、従動ギヤ４１ａに対して駆動力を与えることができる構成、例えば、ディスクドライブＤ内において回転駆動されるものでも構わない。
【００３２】
図７に示すように、シャッタ部材４１は、外周の下縁に沿って摺接リブ４１ｂが形成されている。この摺接リブ４１ｂの下端面は、下プレート２０と一定の円周上で摺接して（図５参照、なお、摺接リブ４１ｂは変位図示している）、下プレート２０に対するロータリシャッタ４０の滑らかな回動を可能にしている。もっとも、摺接リブ４１ｂは、シャッタ部材４１の全周に形成されるのではなく、Ｃ字型に切れている部分に対向する一定範囲で形成されず窓部４１ｂ′を形成している。窓部４１ｂ′は、シャッタ部材４１がスイングシャッタ５０の動作と干渉しないようにするために形成されたものである。より具体的にいうと、スイングシャッタ５０は、図７に示すように、シャッタ部材４１の半径方向外側で軸支され、ロータリシャッタ４０（シャッタ部材４１）と下プレート２０の間で揺動するため、下プレート２０とシャッタ部材４１の摺接部分である摺接リブ４１ｂを一部切り欠くことで、スイングシャッタ５０とシャッタ部材４１（摺接リブ４１ｂ）の干渉を防止している。これにより、スイングシャッタ５０の滑らかな動作を可能にしている。
なお、摺接リブ４１ｂは、連続したリブとして形成されるものに限らず、断続した突起状に形成することもできるが、カートリッジケースＣの外部から塵埃の侵入を防止するためには、連続したリブ形状であることが望ましい。
【００３３】
図３に示すように、補強板４２は、例えばステンレス鋼など金属のプレートからなる略円形の部材であり、中央に形成されたセンタコア６１を挿通させるセンタ孔４２ａと、スイングアームＳＡの動作範囲に合った切欠４２ｂと、下側（スイングシャッタ５０側）に突出した係合凸部４２ｃとを有する。補強板４２の上面には、上プレート３０に貼付されているライナ６５と同じライナ６５が貼付されている。
補強板４２は、シャッタ部材４１の剛性を補強するとともに、ロータリシャッタ４０の動作をスイングシャッタ５０に伝えるための係合部（本実施形態では、係合凸部４２ｃ）を形成するための部材である。シャッタ部材４１が十分な剛性を有するとともに、スイングシャッタ５０と係合する係合部を有していれば、補強板４２は必ずしも必要ではない。
また、センタ孔４２ａは、センタコア６１が通ることができればよいので、本実施形態よりも大きく形成し、例えば切欠４２ｂと連続した開口となっていてもよい。
さらに、切欠４２ｂは、スイングアームＳＡがカートリッジケースＣ内に進入するのを容易にするためのものであるので、スイングアームＳＡがカートリッジケースＣ内に進入するスペースがあれば、必ずしも必要ではない。
【００３４】
スイングシャッタ５０は、図３に示すように下プレート２０のチャック用センタ孔Ｃ３を開閉するための部材であり、下プレート２０とロータリシャッタ４０の間に介装されている。スイングシャッタ５０は、基端側が狭く、先端側が広く形成された略扇形のプレートで、先端の広い部分は、チャック用センタ孔Ｃ３を閉じるのに十分な大きさを有している。
スイングシャッタ５０の基端側には、バーリング加工により円筒状に成形された軸受５１が形成されている。軸受５１は、下プレート２０の支軸２１に外嵌して、スイングシャッタ５０は、下プレート２０に揺動可能に軸支される。下プレート２０の支軸２１に外嵌されたスイングシャッタ５０は、支軸２１の内筒部２１ａに抜け止めピン６３が嵌入されることで、下プレート２０からの脱落が防止される。
抜け止めピン６３は、ピン部６３ａとヘッド部６３ｂとを有し、ヘッド部６３ｂの外周は、軸受５１の外周とほぼ同じ直径となっている。つまり、図６（ｂ）に示すように、ヘッド部６３ｂは、スイングシャッタ５０の軸受５１とも一つの連続した軸のようになっている。
スイングシャッタ５０は、基端と先端の間の中程の外周沿いに、略長孔状の係合孔部５２が形成されている。係合孔部５２は、係合凸部４２ｃと係合して、係合凸部４２ｃの回動動作をスイングシャッタ５０に伝える機能を果たす。係合孔部５２に係合した係合凸部４２ｃは、その先端（下端）が係合孔部５２の下へ若干突出する可能性があるが、この突出した部分は、逃げ溝２２に収容されるので、ロータリシャッタ４０の滑らかな動作は阻害されない。
【００３５】
本実施形態においては、係合孔部５２は、貫通孔として形成されているが、貫通孔に限られない係合部であってもよい。例えば、貫通孔ではなく溝（係合溝部）として形成してもよいし、貫通孔や溝が、スイングシャッタ５０の縁部に開口していてもよい。また、ロータリシャッタ４０とスイングシャッタ５０の係合は、ロータリシャッタ４０の係合凸部４２ｃとスイングシャッタ５０の係合孔部５２により行っているが、凹凸の関係を逆にしても構わない。すなわち、スイングシャッタ５０にロータリシャッタ４０に向けて突出した係合凸部を設けて、ロータリシャッタ４０に、この係合凸部に係合する係合孔部または係合溝部を形成してもよい。
【００３６】
前記支軸２１に外嵌されるスイングシャッタ５０の軸受５１と抜け止めピン６３のヘッド部６３ｂとは、前記のように一つの連続した軸のようになっており、この連続した軸は、磁気ディスクカートリッジ１の非使用時にロータリシャッタ４０の不要な回動を止めるためのロックスプリング７０を軸支している。
ロックスプリング７０は、１枚の板をフォーミング加工してなり、図３に示すように、軸受部７１と、ロック脚部７２と、ロック解除脚部７３と、バネ脚部７４とを備えて構成される。本実施形態では、板厚が０．０６〜０．２ｍｍ、好ましくは０．０６〜０．１ｍｍのものを使用している。板厚が０．２ｍｍを超えると、バネ脚部７４のバネ力が過大となって、ロック脚部７２の係脱をスムーズに行うことができず、また、板厚が０．０６ｍｍより薄いとロック脚部７２に対して好適な付勢力を付与することができない。また、バネ脚部７４の高さ寸法を適宜選択することで、前記のように板厚を選択することとあわせてロック脚部７２に対して好適な付勢力を付与することができる。
【００３７】
軸受部７１は、図９（ａ）（ｂ）に示すように、支軸２１に外嵌された軸受５１と抜け止めピン６３のヘッド部６３ｂとの外周を異なる側から挟持する状態に外嵌する第１，第２の片７１Ａ，７１Ｂ（図６（ａ）参照）からなる。この第１，第２の片７１Ａ，７１Ｂは、軸受５１とヘッド部６３ｂとの対向部が滑らかな面形状に形成されている。具体的には、前記対向部にしごき加工が施されている。なお、化学的処理、例えば、シリコンオイル等を塗布しておくことにより滑り処理を施しておくことも有効である。
【００３８】
ロック脚部７２は、図６（ａ）に示すように、第１の片７１Ａの一側７１ａに連設されており、前記ロータリシャッタ４０の従動ギヤ４１ａ（図７参照）に先端部７２ａが係合するようになっている。ロック脚部７２は、断面が略Ｌ字形に形成され、ロック脚部７２の係脱する方向に向けて折り曲げられた面を有する補強部７２Ａを有している。この補強部７２Ａもフォーミング加工により形成される。この補強部７２Ａは、図６（ａ），図８に示すように、ロック脚部７２の先端部７２ａがロータリシャッタ４０から外れる方向に回動した状態で、一部がバネ脚部７４にオーバーラップするようになっている。つまり、バネ脚部７４は、補強部７２Ａに当接することなく補強部７２Ａの下方に入り込む状態に重なり（所定の間隙を置いて重なり）、これによって、ロック脚部７２の回動動作が阻害されることが防止されている。
【００３９】
ロック解除脚部７３は、第１の片７１Ａの他側７１ｂから第２の片７１Ｂの他側７１ｃへ折り返される状態に連設された略扇形を呈しており、ディスクドライブＤの駆動ギヤ１１０に当接して（図８参照）ロック脚部７２をロータリシャッタ４０から外れる方向へ逃がすようになっている。また、ロック解除脚部７３は、端部上部（およそ上半分）が切り欠かれた形状となっており、駆動ギヤ１１０との当接時に、ギヤ１１０ａに対する接触が確実に防止されるようになっている。
【００４０】
バネ脚部７４は、第２の片７１Ｂの一側７１ｄに連設され、ロック脚部７２をロータリシャッタ４０に係合する方向の付勢力を発生するようになっている。ここで、バネ脚部７４は、ベースフレーム１０の内周、具体的にはスプリング収容部１７の内壁に当接している。
【００４１】
このようなロックスプリング７０は、ロック解除脚部７３がシャッタ作動用開口部Ｃ４からカートリッジケースＣの外部へ臨んだ配置で、ロックスプリング７０の軸受部７１が抜け止めピン６３および軸受５１（図３参照）に外嵌されている。つまり、ロックスプリング７０は、スイングシャッタ５０の揺動中心と同心に配置されるようになっている。
図７の状態で、バネ脚部７４は、スプリング収容部１７の内壁との間に付勢力を発生しており、ロック脚部７２を従動ギヤ４１ａ側へ押し付ける時計回りのトルクを発生し、ロックスプリング７０がロータリシャッタ４０の回動をロックしている。一方、磁気ディスクカートリッジ１をディスクドライブＤへ挿入したときには、図８に示すように、駆動ギヤ１１０の当接部１１ｂがロック解除脚部７３に当接して、ロック脚部７２を図８における反時計回りに回動させることで、ロックスプリング７０は、ロータリシャッタ４０のロックを解除するようになっている。
【００４２】
図３に示すように、磁気ディスクメディアＭＤは、フレキシブルディスクＦＤと、センタコア６１とから構成されている。
フレキシブルディスクＦＤは、中央に円形の開口部ＦＤ１を有する円盤形状であり、一般には、ポリエステルなどの樹脂フィルムなどからなる支持体の両面または片面に磁性層を設けて構成される。この支持体および磁性層の材質および層構成は、従来公知のものを適宜選択して使用することができ、特に限定されない。
センタコア６１は、前記した開口部ＦＤ１に貼着部材６２により接合される、ある程度の剛性がある部材である。センタコア６１は、一般的には、ディスクドライブＤのスピンドルＳＰが磁気吸着しうるように、メッキ鋼板やクロム系ステンレスなどの磁性材料により構成される。
【００４３】
センタコア６１は、図３に示すように円錐台形状のチャック部６１ａと、チャック部６１ａの大径部分から半径方向外側に延びたフランジ部６１ｂとから構成されている。チャック部６１ａには中央に上下に貫通するセンタ孔６１ｃが形成されている。このセンタ孔６１ｃは、スピンドルＳＰとセンタ合わせをするためにスピンドルＳＰのセンタ突起ＳＰ１（図１参照）と係合しうる大きさに形成されている。また、センタ孔６１ｃの大きさは、前記した上プレート３０の突起３１の大きさにも対応している。チャック部６１ａの外周の円錐面６１ｄは、スイングシャッタ５０が閉まるときにスイングシャッタ５０に当接してセンタコア６１自身をカートリッジケースＣ内に押し入れるための係合斜面となる。
センタコア６１は、チャック部６１ａの小径側を下側にして配置され、フランジ部６１ｂにおいて下側、つまり、チャック部６１ａが突出している側からフレキシブルディスクＦＤが貼付されている。
【００４４】
以上のように構成された磁気ディスクカートリッジ１は、次のように使用される。
図１１は、ロータリシャッタの動作を示し、（ａ）は閉じた状態を左前方から見た斜視図、（ｂ）は開いた状態を左前方から見た斜視図である。また、図１２は、磁気ディスクカートリッジの断面図を示し、（ａ）はロータリシャッタが閉じた状態、（ｂ）はロータリシャッタが開いた状態である。
【００４５】
磁気ディスクカートリッジ１は、非使用時には、図１に示すように、ロータリシャッタ４０がアクセス用開口部Ｃ２を閉じている。そして、図７に示すように、ロックスプリング７０のロック脚部７２の先端が、シャッタ部材４１の従動ギヤ４１ａに係合していることで、ロータリシャッタ４０はロックされ、外部からの振動などにより開くことがない。したがって、カートリッジケースＣの内部には、塵埃が侵入しにくく、フレキシブルディスクＦＤへのデータの記録・再生におけるエラーが抑制される。さらに、図１２（ａ）に示すように、センタコア６１のセンタ孔６１ｃが上プレート３０の下面３０ａに形成された突起３１に係合していることにより、直径方向への移動が抑制され、フレキシブルディスクＦＤを傷めることがない。
【００４６】
磁気ディスクカートリッジ１をディスクドライブＤに挿入するときには、図１に示す挿入方向を前にして挿入される。そして、この挿入動作により、図１１（ａ）に示すように、溝１８にディスクドライブＤの駆動ギヤ１１０が進入して、ロックスプリング７０のロック解除脚部７３に当接し、ロック脚部７２と従動ギヤ４１ａの係合を解除する。駆動ギヤ１１０が溝１８のさらに奥へ進入すると、図１１（ｂ）に示すように駆動ギヤ１１０のギヤ１１０ａが従動ギヤ４１ａに噛合して、従動ギヤ４１ａを回動、つまりロータリシャッタ４０を回動させる。
ロータリシャッタ４０が回動すると、ロータリシャッタ４０の係合凸部４２ｃ（図３参照）が、スイングシャッタ５０の係合孔部５２（図３参照）に係合してスイングシャッタ５０を押し動かし、図７における時計回りに回動させる。スイングシャッタ５０が揺動することにより、チャック用センタ孔Ｃ３が開いて、図２に示すようにセンタコア６１がチャック用センタ孔Ｃ３から外部へ露出する。
【００４７】
このとき、ロータリシャッタ４０は、図７に示すように、円周に沿って形成された摺接リブ４１ｂで下プレート２０と摺接するので滑らかに回動する。また、スイングシャッタ５０は、ロータリシャッタ４０と下プレート２０の間で回動するが、摺接リブ４１ｂが切れた窓部４１ｂ′の範囲で揺動するので摺接リブ４１ｂと干渉することはなく、ロータリシャッタ４０の滑らかな回動を維持したまま揺動が可能となっている。そして、図１２（ｂ）に示すように、センタコア６１は、上プレート３０の突起３１から離脱して、自由に動けるようになる。同時に、ロータリシャッタ４０の回動自体で、シャッタ部材４１の開口部分がアクセス用開口部Ｃ２と合って、アクセス用開口部Ｃ２からフレキシブルディスクＦＤを外部へ臨ませる。
【００４８】
そして、センタコア６１にディスクドライブＤのスピンドルＳＰが磁気吸着により結合して、磁気ディスクメディアＭＤを保持する。このとき、スピンドルＳＰのセンタ突起ＳＰ１がセンタコア６１のセンタ孔６１ｃに係合して中心合わせがなされる。また、フレキシブルディスクＦＤは、カートリッジケースＣの上下方向（厚み方向）で略中央に位置する。このため、磁気ディスクメディアＭＤを回転させたときに、フレキシブルディスクＦＤの上下の空気の流れが安定し、フレキシブルディスクＦＤの面振れが抑制される。
【００４９】
次に、スピンドルＳＰの回転により磁気ディスクメディアＭＤが回転を始める。ディスクドライブＤのスイングアームＳＡは、磁気ディスクカートリッジ１の右側に開いたアクセス用開口部Ｃ２からカートリッジケースＣ内に進入し、フレキシブルディスクＦＤ上にスイングアームＳＡに設けられた磁気ヘッドＨがロードされる（図８，図１１（ｂ）参照）。
【００５０】
磁気ヘッドＨで、データの記録・再生が行われた後は、スイングアームＳＡがカートリッジケースＣから退出して磁気ヘッドＨがアンロードされる。また、スピンドルＳＰがセンタコア６１から離脱する。
磁気ディスクカートリッジ１をディスクドライブＤから取り出すときには、挿入時と逆の動作がなされる。すなわち、磁気ディスクカートリッジ１をディスクドライブＤから引き抜く動作により、駆動ギヤ１１０のギヤ１１０ａがロータリシャッタ４０を閉じる方向へ回動させ、この回動動作により、ロータリシャッタ４０の係合凸部４２ｃがスイングシャッタ５０の係合孔部５２に係合してスイングシャッタ５０を押し動かして図８における反時計回りに回動させる。この回動動作によりチャック用センタ孔Ｃ３がスイングシャッタ５０により閉じられる。このとき、図１２（ｂ）から図１２（ａ）に示すように、スイングシャッタ５０がセンタコア６１の円錐面６１ｄに当接して磁気ディスクメディアＭＤをカートリッジケースＣ内に押し入れる。そして、センタコア６１のセンタ孔６１ｃと突起３１が係合して、磁気ディスクメディアＭＤがカートリッジケースＣ内で固定される。
【００５１】
また、図１１（ｂ）の状態から（ａ）の状態に溝１８から駆動ギヤ１１０が退出することで、ロックスプリング７０のロック解除脚部７３と駆動ギヤ１１０の当接部１１０ｂとの当接が解かれ、ロックスプリング７０のロック脚部７２が図７における時計回りに回動して従動ギヤ４１ａと係合し、ロータリシャッタ４０の回動をロックする。
【００５２】
以上のように説明した本実施形態の磁気ディスクカートリッジ１によれば、次のような効果を奏する。
まず、アクセス用開口部Ｃ２が、下プレート２０および上プレート３０に設けられることなく、側部、具体的には、ベースフレーム１０の側部に形成されているので、カートリッジケースＣの開口が最小限で済み、塵埃が入りにくい。また、アクセス用開口部Ｃ２からは、磁気ディスクメディアＭＤの側面しか臨むことができず、フレキシブルディスクＦＤの記録面を直接手などで触れることができないため、不意にフレキシブルディスクＦＤを汚損させてしまうこともない。したがって、磁気ディスクカートリッジ１は、これらの塵埃や汚損によるエラーが発生しにくい。
【００５３】
また、ロックスプリング７０は１枚の板をフォーミング加工してなり、支軸２１に外嵌された軸受５１と抜け止めピン６３のヘッド部６３ｂとの外周に、異なる側から挟持する状態に外嵌する第１，第２の片７１Ａ，７１Ｂからなる軸受部７１で回動可能に支持される（図１３参照）。そして、バネ脚部７４の付勢力によって、ロック脚部７２は、ロータリシャッタ４０に係合した状態に保持される。これにより、ロータリシャッタ４０の回動がロックされ、非使用時に磁気ディスクメディアＭＤが固定されて、磁気ディスクメディアＭＤを傷めることが防止される。また、アクセス用開口部Ｃ２が塞がれた状態が維持されることとなり、カートリッジケースＣ内に塵埃が侵入しにくくなる。そして、カートリッジケースＣをディスクドライブＤに挿入すると、ディスクドライブＤの駆動ギヤ１１０の当接部１１０ａがロック解除脚部７３に当接して、ロック脚部７２がロータリシャッタ４０から外れる方向へ逃がされる。これにより、ロータリシャッタ４０の回動が可能となりアクセス用開口部Ｃ２が開かれて磁気ヘッドＨが磁気ディスクメディアＭＤにアクセス可能となる。
【００５４】
このように１枚の板をフォーミング加工することで、ロータリシャッタ４０をロックあるいはロック解除するロックスプリング７０を簡単に形成することができ、組立性、生産性に優れ、簡素化された構造の磁気ディスクカートリッジ１が得られる。
【００５５】
また、ロック脚部７２に沿って補強部７２Ａが設けられているので、ロック脚部７２に機械的強度が付与されるようになり、ロータリシャッタ４０に対するロック脚部７２の係脱動作時にロック脚部７２の撓みが防止されて、ロック脚部７２の係脱動作を確実に行うことができる。
【００５６】
さらに、補強部７２Ａは、ロック脚部７２が係脱する方向に向けて折り曲げられた面を有しているので、ロータリシャッタ４０に対するロック脚部７２の係脱動作時にロック脚部７２の撓みが防止されるようになり、ロック脚部７２の係脱動作を確実に行うことができる。
【００５７】
また、ロック脚部７２の補強部７２Ａの設けられた部位は、断面略Ｌ字形であるので、係脱する方向に向けて折り曲げられた面を有する補強部７２Ａを簡単に形成することができ、ロック脚部７２の係脱動作を確実に行うことができる。
【００５８】
さらに、軸受部７１は、支軸２１側に対向している部位が滑らかな面形状であるので、ロックスプリング７０のスムーズな回動を実現することができ、ロック脚部７２の係脱動作を確実に行うことができる。
【００５９】
以上、本発明の一実施形態について説明したが、本発明は、適宜変更して実施することが可能であり、前記した実施形態に限定されないことは当然である。
図１４に前記実施形態の変形例を示す。図１４（ａ）（ｂ）は、実施形態の変形例に係る記録ディスクカートリッジに採用されるロックスプリングの斜視図である。
【００６０】
図１４（ａ）に示すように、この変形例の磁気ディスクカートリッジでは、ロックスプリング７０の補強部７２Ａが断面湾曲形状に形成されている。このような形状に補強部７２Ａを形成することによっても、ロック脚部７２に機械的強度が付与されるようになり、ロータリシャッタ４０に対するロック脚部７２の係脱動作時にロック脚部７２の撓みが防止されて、ロック脚部７２の係脱動作が確実に行われるようになる。なお、この変形例のように、補強部７２Ａは、ロック脚部７２が少なくとも係脱する方向に向けて折り曲げられた面を有した形状とされていればよく、種々の形態のものを採用し得る。
【００６１】
さらに、例えば、記録ディスクメディアは、磁気ディスクメディアに限らず、光磁気ディスクメディア、相変化ディスクメディアなどの光ディスクメディアでもよいし、フレキシブルなディスクメディアに限らず、ＤＶＤ−ＲＡＭのような剛性を有したディスクメディアであってもよい。
また、ロックスプリング７０の補強部７２Ａは、別部材で設けてもよい。
【図面の簡単な説明】
【００６２】
【図１】一実施形態に係る磁気ディスクカートリッジとディスクドライブを示す外観斜視図である。
【図２】アクセス用開口部が開いた状態の磁気ディスクカートリッジを下方から見た外観斜視図である。
【図３】磁気ディスクカートリッジの分解斜視図である。
【図４】ベースフレームの拡大分解斜視図を示し、（ａ）が上方から見た斜視図、（ｂ）が下方から見た斜視図である。
【図５】図１のＶ−Ｖ断面図である。
【図６】ロックスプリングの斜視図であり、（ａ）が一部破断斜視図、（ｂ）はロータリシャッタから外れる方向にロック脚部が回動した状態の斜視図である。
【図７】上プレートを外した状態の磁気ディスクカートリッジの平面図である。
【図８】上プレートを外した状態の磁気ディスクカートリッジにおいて、駆動ギヤとの噛合を示す一部破断平面図である。
【図９】図７のＷ−Ｗ断面図であり、（ａ）が分解断面図、（ｂ）が組付け状態を示す断面図である。
【図１０】ロータリシャッタを下方から見た斜視図である。
【図１１】ロータリシャッタの動作を示し、（ａ）は閉じた状態を左前方から見た斜視図、（ｂ）は開いた状態を左前方から見た斜視図である。
【図１２】磁気ディスクカートリッジの断面図を示し、（ａ）はロータリシャッタが閉じた状態、（ｂ）はロータリシャッタが開いた状態である。
【図１３】組み付け手順を示す拡大斜視図である。
【図１４】（ａ）（ｂ）はロックスプリングの変形例を示す斜視図である。
【符号の説明】
【００６３】
１      磁気ディスクカートリッジ
１０    ベースフレーム
１４    リブ
２０    下プレート
２１    支軸
３０    上プレート
４０    ロータリシャッタ
５０    スイングシャッタ
５１    軸受
６１    センタコア
６３    抜け止めピン
７０    ロックスプリング
７１    軸受部
７２    ロック脚部
７３    ロック解除脚部
７４    バネ脚部
１１０    駆動ギヤ
Ｃ      カートリッジケース
Ｃ２    アクセス用開口部
Ｃ３    チャック用センタ孔
Ｃ４    シャッタ作動用開口部
Ｄ      ディスクドライブ
Ｈ      磁気ヘッド
ＭＤ    磁気ディスクメディア
ＳＡ    スイングアーム
ＳＰ    スピンドル
【図１】
2006286088.tif 000003
【図２】
2006286088.tif 000004
【図３】
2006286088.tif 000005
【図４】
2006286088.tif 000006
【図５】
2006286088.tif 000007
【図６】
2006286088.tif 000008
【図７】
2006286088.tif 000009
【図８】
2006286088.tif 000010
【図９】
2006286088.tif 000011
【図１０】
2006286088.tif 000012
【図１１】
2006286088.tif 000013
【図１２】
2006286088.tif 000014
【図１３】
2006286088.tif 000015
【図１４】
2006286088.tif 000016